(57)【要約】
【課題】木造軸組工法用金物選定において、Ｎ値計算等の構造計算を不要にした接合金物早見選定スケールの提供を目的とする。
【解決手段】木造軸組工法用接合金物の選定に使用される早見スケールが方形のプレートと、このプレートにスライドするスライド部から構成され、当該プレートに、柱と横架材及び筋カイの配置組合せパターンとともに、それぞれの仕口・接合部位に合った適合金物が予め表示されていて、スライド部に設けた検討部位標示部を選定目的とする接合部位にスライド合致させると、この標示部に少なくとも適正金物が表示されることを特徴とする早見金物選定スケールとした。
【選択図】　図５
0003099907.tif 000002
【実用新案登録請求の範囲】
【請求項１】
　木造軸組工法用接合金物の選定に使用される早見スケールが方形のプレートと、このプレートにスライドするスライド部から構成され、当該プレートに、柱と横架材及び筋カイの配置組合せパターンとともに、それぞれの仕口・接合部位に合った適合金物が予め表示されていて、スライド部に設けた検討部位標示部を選定目的とする接合部位にスライド合致させると、この標示部に少なくとも適正金物が表示されることを特徴とする早見金物選定スケール。
【請求項２】
　適正金物と同時にＮ値を表示したことを特徴とする請求項１記載の早見金物選定スケール。
【考案の詳細な説明】
【技術分野】
【０００１】
　本考案は、木造住宅における軸組工法用金物のＮ値対応選定スケールに関する。
【背景技術】
【０００２】
　改正建築基準法が平成１２年６月１日から施行された。
　これに伴い、建設省告示第１４６０号「木造の継手及び仕口の構造方法を定める件」で筋カイ端部と軸組との止め付け、及び柱脚と柱頭の仕口・継手の方法が具体的に明示された。
　同告示第１４６０号第２号には、接合金物の選定方法として表から選定する方法の他に、ただし書として「当該仕口の周囲の軸組の種類及び配置を考慮して柱頭又は柱脚に必要とされる引張力が当該部分の引張耐力を超えないことを認められた場合においてはこの限りではない」と規定されている。
　従って、金物の選定方法として、表による場合とＮ値計算（構造計算）等による場合の２種類が認められたことになる。
【０００３】
　上記表から金物を選定すると、非常に多くの種類の金物が必要になり、施工も複雑にならざるを得ない。
　一方、「告示第１４６０号第２号ただし書」に基づいて金物を選定しようとすれば木造住宅の一階か二階かにより、また中間柱か出隅柱かにより、更にそれらに対して筋カイの方向により、それぞれ使用部位に基づいてＮ値計算をして選定しなければならなくなり、その都度計算するのは非常に困難であった。
【０００４】
　一般に、上記「表」によるよりも、上記「ただし書」に基づいて金物を選定した方が必要な接合強度を確保しつつ、使用する金物の種類を少なくすることが出来る点で施工方法も複雑にならずに、作業性及びコスト面で有利である。
【０００５】
【非特許文献１】平成１２年建設省告示第１４６０号
【考案の開示】
【考案が解決しようとする課題】
【０００６】
　以上の技術的背景の下に、本考案は木造軸組工法用金物選定において、Ｎ値計算等の構造計算を不要にした接合金物早見選定スケールの提供を目的とする。
【課題を解決するための手段】
【０００７】
　本考案は上記目的を達成するために、木造軸組工法用接合金物の選定に使用される早見スケールが方形のプレートと、このプレートにスライドするスライド部から構成され、当該プレートに、柱と横架材及び筋カイの配置組合せパターンとともに、それぞれの仕口・接合部位に合った適合金物が予め表示されていて、スライド部に設けた検討部位標示部を選定目的とする接合部位にスライド合致させると、この標示部に少なくとも適正金物が表示されることを特徴とする早見金物選定スケールとした。
　また、適正金物の他にＮ値を表示し、出隅接合物等の選定を容易にするのがよい。
【０００８】
　このプレートは厚紙の樹脂板等、表面に柱と横架材と筋カイの組み合わせパターンが表示出来れば材質等は特に限定されない。
　またスライド部とは、プレートの面に表示されたパターンの所定の位置にスライド部に表示した標示部が合わせられるようにスライド可能に構成された趣旨で、例えば柱と横架材と筋カイの組合せパターンに一致させる標示部及び、この目的とするパターンに一致させたときにそれに適合する金物の種類が見える窓部があるカバー状の樹脂板でもよく、プレートを表面と裏面の両側から挟み込むようにしたケース状にしてもよい。
【考案の効果】
【０００９】
　本考案によれば、プレートに表示したパターンの内から目的とする組合せにスライドの標示部を合わせるだけで必要な金物が選定できる。
　なお、この場合にプレートにＮ値も表示しておけばＮ値も同時に確認できるだけでなく、後述するように出隅部の金物の選定が容易になる。
　従って、複雑な構造計算が不要になり、現場での配置変更にも速やかに対応でき、また、現場で使用された金物の適正検査も容易にできる。
　また、パターン表示と比較することにより、効率の良い筋カイの配置も可能になる。
【考案を実施するための最良の形態】
【００１０】
　図１及び図２にプレート１０の例を示し、図１が表面１０ａで図２が裏面１０ｂ表示である。
　図３及び図４にスライド部２０を示し、図３がプレートの表面に対応したスライド部の標示部２０ａであり、図４がプレートの裏面に対応したスライド部の標示部２０ｂである。
　図３に示すようにスライド部２０は、表面２０ａと裏面２０ｂとの間にプレート１０が挿入スライドできるようにスリット状の隙間を設けたケース状（筒状）になっている。
【００１１】
　図１に示すように、プレート１０の表面１０ａには、例えば上段に筋カイｃ（９０×４５ｍｍ）と２Ｆ、１Ｆ共に出隅の柱ｂ及び横架材ａの組み合わせのパターンが予め表示されている。
　なお図１の例の他に、筋カイ断面の違う組み合わせにおいてもまた異なる構造合板に対しても適用できることは言うまでもない。
　また、下段に平家又は最上階の柱（出隅、中間）との組み合わせパターンが予め表示されている。
　これに、図３に示すスライド部の標示部２１ａ、２２ａ、２３ａのいずれかを用いて合わせる。
　例えば図５に示す例では、２Ｆ、１Ｆ共出隅部で上部左コーナー、下部右コーナーの筋カイの場合の○印１に示した部分の接合に使用すべき使用金物はＺの窓部に表示され、この場合「羽子板」である。
　また、このときのＮ値はＮの窓部に表示され、Ｎ値＝１．６である。
　このようにして、スライド部の標示部をプレートに予め表示されたパターンの検討部位に合致させるだけで使用金物及びＮ値が分かる。
　なお、プレートの表面１０ａにはＮ値と対応金物の一覧表１３ａが表示されている。
【００１２】
　同様にして図６には、プレートの裏面１０ｂにスライド部の裏面２０ｂをスライドさせる例を示す。
　図２に示すように、２Ｆ出隅で１Ｆ中間柱の場合のパターン１１ｂ、１２ｂ、が予め表示されていて、図４に示すような標示部２１ｂ又は２２ｂを用いて図６に示すように例えば、筋カイのない中間柱の仕口は、使用金物が「かすがい」でそのときのＮ値＝−０．４と表示されている。
【００１３】
　このようにして、木造住宅に適用した使用例を図７に示す。
　例えば、ここで「ＣＰ−Ｌ」はＬ型かど金物を示し、「１５ＫＮ−ＨＤ」とは、１５ＫＮ用引き寄せ金物（ホールダウン金物）を示し、財団法人日本住宅・木材技術センターが承認のための規定した「軸組工法用金物規格（Ｚマーク表示金物）」に合致している。
【００１４】
　図８には出隅部での使用例を示し、ｘ方向とｙ方向で筋カイの位置や本数が異なる場合にＮ値の高い方の使用金物が容易に選定できる。
【図面の簡単な説明】
【００１５】
【図１】プレート表面を示す。
【図２】プレート裏面を示す。
【図３】スライド部表面を示す。
【図４】スライド部裏面を示す。
【図５】早見スケールの合わせ方及び見方を示す（おもて面の例）。
【図６】早見スケールの合わせ方及び見方を示す（裏面の例）。
【図７】早見スケールの使用例を示す。
【図８】早見スケールの出隅に対する使用例を示す。
【符号の説明】
【００１６】
１０　　プレート
１０ａ　プレート表面
１０ｂ　プレート裏面
１１ａ、１２ａ、１１ｂ、１２ｂ　柱と横架材と筋カイの組み合わせパターン
２０　　スライド部
２０ａ　スライド部表面
２０ｂ　スライド部裏面
２１ａ、２２ａ、２３ａ、２１ｂ、２２ｂ　標示部
【図１】
0003099907.tif 000003
【図２】
0003099907.tif 000004
【図３】
0003099907.tif 000005
【図４】
0003099907.tif 000006
【図５】
0003099907.tif 000007
【図６】
0003099907.tif 000008
【図７】
0003099907.tif 000009
【図８】
0003099907.tif 000010